(57)【要約】【課題】  電子機器の筺体に各種機能のモジュールをワンタッチ操作で確実に取り付け、モジュールの差替え、交換作業を容易にする。【解決手段】  電子機器１の筺体２に差込部４を形成し、差込部４に同一形状の二つのモジュール３を配列する。モジュール３をつかみ持つための一対の把持部材７を、モジュール配列方向の両側において、モジュール３の相対する２箇所に取り付ける。把持部材７に、筺体２の掛止部６に係合する爪部１６と、爪部１６を係合方向へ付勢する弾性部と、弾性部を変形させて爪部を掛止部から外す操作部１８とを設ける。操作部１８に爪部１６の係合方向に向く指当て面を設け、操作部１８を摘んだままの状態で、モジュール３を筺体２に着脱できるように構成する。【選択図】        図１
2010153189.tif 000002
【特許請求の範囲】
【請求項１】
電子機器の筺体にモジュールを着脱自在に取り付ける構造において、モジュールをつかみ持つための把持部材を備え、把持部材に筺体の掛止部に係合する爪部と、爪部を係合方向へ付勢する弾性部と、弾性部を変形させて爪部を掛止部から外す操作部とを設け、一対の把持部材をモジュールの相対する２箇所に取り付け、操作部に爪部の係合方向に向く指当て面を形成したことを特徴とするモジュール取付構造。
【請求項２】
前記筺体の差込部に同一形状の複数のモジュールを配列し、各モジュールに一対の把持部材をモジュール配列方向の両側に取り付け、爪部の先端を筺体の外側に向けたことを特徴とする請求項１記載のモジュール取付構造。
【請求項３】
前記複数のモジュールがケースを備え、ケースの内側に把持部材を取り付け、把持部材の操作部をケースの表面から突出させ、操作部の指当て面を筺体の外側に向けたことを特徴とする請求項２記載のモジュール取付構造。
【請求項４】
前記ケースの内側において、把持部材の弾性部を支持片で支持して回路基板により保持したことを特徴とする請求項３記載のモジュール取付構造。
【発明の詳細な説明】
【技術分野】
【０００１】
本発明は、電子機器の筺体にモジュールを着脱自在に取り付けるための構造に関する。
【背景技術】
【０００２】
従来、電子機器本体の筺体に通信、制御、検出等の各種の機能モジュールを取り付け、本体とモジュールとの間に信号線路を確立する技術が知られている。例えば、特許文献１には、電子機器の筺体に配線用のモジュールを差し替え可能に取り付ける構造が記載されている。
【特許文献１】特開２００８−９８１７６号公報
【０００３】
この取付構造は、図９に示すように、電子機器５１の筺体５２に電子部品５３と差込部５４とロック部材５５とを設け、モジュール５６を差込部５４に差し込んで電子部品５３に接続し、ロック部材５５を倒し、掛止部５７でモジュール５６をロックし、ロック部材５５を起し、係合部５８でモジュール５６を電子部品５３から切り離すように構成されている。
【発明の開示】
【発明が解決しようとする課題】
【０００４】
しかし、従来の取付構造によると、ロック部材５５が筺体５２側に取り付けられているので、次のような問題点があった。
（１）モジュール５６を差し替える前後に、ロック部材５５を起したり倒したりする必要があり、モジュール５６の着脱に手間がかかる。
（２）ロック部材５５を戻し忘れることがあり、この場合、モジュール５６と電子部品５３との接続が不確実になる。
（３）複数のモジュール５６を階段状に並べる必要があり、電子機器５１の全体が大型化する。
【０００５】
本発明の目的は、上記課題を解決し、電子機器の筺体にモジュールをワンタッチ操作で確実に取り付けることができ、電子機器の小型化にも貢献できるモジュール取付構造を提供することにある。
【課題を解決するための手段】
【０００６】
上記課題を解決するために、本発明のモジュール取付構造は、電子機器の筺体にモジュールを着脱自在に取り付ける構造において、モジュールをつかみ持つための把持部材を備え、把持部材に筺体の掛止部に係合する爪部と、爪部を係合方向へ付勢する弾性部と、弾性部を変形させて爪部を掛止部から外す操作部とを設け、一対の把持部材をモジュールの相対する２箇所に取り付け、操作部に爪部の係合方向に向く指当て面を形成したことを特徴とする。
【０００７】
また、本発明のモジュール取付構造は、特に電子機器を小型に構成する観点から、筺体の差込部に同一形状の複数のモジュールを配列し、各モジュールに一対の把持部材をモジュール配列方向の両側に取り付け、爪部の先端を筺体の外側に向けたことを特徴とする。
【０００８】
この場合、モジュールの差替えをより簡単にするために、複数のモジュールがケースを備え、ケースの内側に把持部材を取り付け、把持部材の操作部をケースの表面から突出させ、操作部の指当て面を筺体の外側に向けるのが好ましい。特に、通信、制御、検出等の機能を備えたモジュールの場合は、ケースの内側において、把持部材の弾性部を支持片で支持して回路基板により保持するという構成を好ましく採用できる。
【発明の効果】
【０００９】
本発明のモジュール取付構造によれば、把持部材がモジュールの取っ手としてのみならず、爪部を掛け外すためのハンドルとしても機能する。このため、電子機器の筺体にモジュールをワンタッチ操作で着脱でき、差替え、交換作業が容易になるうえ、取り付けた後の接続を強固に保持できるという効果がある。また、把持部材をモジュール配列方向の両側に配置したので、モジュールの着脱操作を妨げることなく、電子機器全体を小型化できるという効果もある。
【発明を実施するための最良の形態】
【００１０】
以下、本発明の実施形態を図面に基づいて説明する。図１は電子機器の筺体から二つのモジュールを取り出した状態を示す。図２はモジュールを筺体に取り付けた状態を示す。図３はモジュールを着脱するときの操作を示す。図４はモジュールケースの分解形態を示す。図５は把持部材の形状を示す。図６は把持部材の取付箇所を示す。図７は把持部材を回路基板で保持した状態を示す。図８はモジュールケースの組立形態を示す。
【実施例】
【００１１】
図１に示すように、この実施例の電子機器１では、本体部である筺体２に二つのモジュール３が着脱自在に取り付けられる。筺体２は四角薄箱形に形成され、その上面にモジュール３を差し込む差込部４が凹設されている。差込部４の底面には２つのコネクタ５が設けられ、差込部４の相対する側面の下部に一対２組の凹みまたは穴からなる掛止部６が形成されている。
【００１２】
図２に示すように、二つのモジュール３は、それぞれ同じ形状で形成され、筺体２の長手方向に密に並んだ状態で差込部４に差し込まれている。各モジュール３の相対する２箇所には、モジュール３をつかみ持つための把持部材７が取り付けられている。把持部材７はモジュール３の配列方向の両側に位置し、図３に示すように、把持部材７を２本の指先で摘んで筺体１に着脱できるようになっている。
【００１３】
図４に示すように、モジュール３のケース８はベース９とカバー１０をネジ１１で組み合わせて構成され、ケース８の内側に把持部材７と回路基板１２とが収納されている。回路基板１２の上面（図４の下面）には、モジュール３ごとに異なる機能の電子回路１３やＬＥＤ１５等の電子部品が設けられ、回路基板１２の裏面にプラグ１４が装着されている。そして、プラグ１４を筺体２のコネクタ５に接続し、電子回路１３と筺体２の内部電子部品（図示略）との間に信号線路を確立するようになっている。
【００１４】
図５に示すように、把持部材７は、全体が樹脂で形成され、筺体２の掛止部６に係合する爪部１６と、爪部１６を係合方向へ付勢する一対のアーム状の弾性部１７と、弾性部１７を変形させて爪部１６を掛止部６から外す操作部１８とを備えている。操作部１８には、爪部１６の係合方向に向く指当て面１９と、操作部１８の操作方向を示す矢印２０とが設けられている。
【００１５】
図６に示すように、カバー１０には、爪部１６を嵌合する凹部２１と、弾性部１７を支持する支持片としてのボス２２およびリブ２３と、操作部１８を通す穴２４とが形成されている。そして、図４に示すように、一対の把持部材７を互いに反対の向きでカバー１０にセットし、図７に示すように、弾性部１７を回路基板１２で保持し、図８に示すように、ベース９をネジ１１でカバー１０に組み付けて、把持部材７をケース８の内側に取り付けるようになっている。
【００１６】
なお、２本のネジ１１はボス２２（図７参照）に締め付けられる。回路基板１２には、爪部１６の移動を許容する切欠２５が形成されている。モジュール３を筺体２から取り外した状態では（図８参照）、爪部１６が弾性部１７の弾力で外側に移動し、先端がケース８の外面から突出している。爪部１６の先端には下向きのテーパ面２６が形成され、筺体２の差込部４の開口縁にテーパ面２６と係合する斜面２７（図１参照）が設けられている。
【００１７】
モジュール３を筺体２に取り付ける場合には、爪部１６がテーパ面２６の作用で引っ込み（図３の左側参照）、弾性部１７の付勢力で突出して、掛止部６に引っ掛かる。このため、モジュール３の上面を指先で押え付けるだけのワンタッチ操作で、モジュール３を筺体２に取り付けることができ（図２参照）、また、爪部１６と掛止部６の係合により、プラグ１４とコネクタ５の接続を強固に保持することができる。
【００１８】
この取付状態では、ケース８の表面が筺体１の上面と同じ高さになり、把持部材７の操作部１８がケース８の表面から突出し、指当て面１９が筺体２の外側を向いている。モジュール３を筺体２から取り外す場合には、図３に示すように、２本の指先で操作部１８を摘み、爪部１６を引っ込ませて掛止部６から外し、摘んだままの状態で、モジュール３を差込部４から取り出す。
【００１９】
こうすれば、モジュール３を持ち直すことなく、ワンタッチ操作で筺体２から取り外すことができる。取り外した後は、爪部１６が弾性部１７の弾力で突出位置に自動復帰するので、従来とは異なり、次の取り付けに備えた操作が不要であり、戻し忘れるおそれもない。また、この実施例の取付構造では、一対の把持部材７がモジュール３の配列方向の両側に配置されているので、着脱操作を妨げることなく、二つのモジュール３を密に配列して、電子機器１の全体を小型に構成できる利点もある。
【００２０】
なお、本発明は上記実施例に限定されるものではなく、例えば、モジュール３の個数を増やしたり、その形状を変えたりするなど、発明の趣旨を逸脱しない範囲で、各部の構成を適宜に変更して実施することも可能である。
【図面の簡単な説明】
【００２１】
【図１】本発明のモジュール取付構造を例示する電子機器の斜視図である。
【図２】モジュールの取付状態を示す斜視図である。
【図３】モジュールの取外操作を示す斜視図である。
【図４】モジュールの分解形態を示す斜視図である。
【図５】把持部材を示す斜視図である。
【図６】モジュールのカバーを示す斜視図である。
【図７】把持部材の取付構造を示す斜視図である。
【図８】モジュールの組立形態を示す斜視図である。
【図９】従来のモジュール取付構造を示す断面図である。
【符号の説明】
【００２２】
１    電子機器
２    筺体
３    モジュール
４    差込部
６    掛止部
７    把持部材
８    ケース
１２    回路基板
１６    爪部
１７    弾性部
１８    操作部
１９    指当て面
２２    ボス
２３    リブ
【図１】
2010153189.tif 000003
【図２】
2010153189.tif 000004
【図３】
2010153189.tif 000005
【図４】
2010153189.tif 000006
【図５】
2010153189.tif 000007
【図６】
2010153189.tif 000008
【図７】
2010153189.tif 000009
【図８】
2010153189.tif 000010
【図９】
2010153189.tif 000011